(57)【要約】【課題】被覆網工のような面的なのり面保護を加えながら、メンテナンスが容易でメンテナンス時の通路を確保しつつ、柵工のように景観を損なうことのない緑化保護装置及び緑化保護装置を備えたのり面を提供する。【解決手段】１０ｃｍ×１０ｃｍの升目から成る溶接金網を階段状に折り曲げて少なくとも二つの踏み面を形成して成る第一網ユニットを、所定の間隔を隔てて配置すると共に第一網ユニット間の横方向及び／又は縦方向を相互に可動自在に連結して成る網ユニット群と、網ユニット群の各第一網ユニットをそれぞれの重心位置をずらして辺縁部を緑化のり面又は緑化済のり面に揺動自在に固定する第一アンカーピンとを備える。【選択図】    図１
2014103934.tif 000002
【特許請求の範囲】
【請求項１】
１０ｃｍ×１０ｃｍの升目から成る溶接金網を階段状に折り曲げて少なくとも二つの踏み面を形成して成る第一網ユニットを、所定の間隔を隔てて配置すると共に前記第一網ユニット間の横方向及び／又は縦方向を相互に可動自在に連結して成る網ユニット群と、
前記網ユニット群の各前記第一網ユニットをそれぞれの重心位置をずらして辺縁部を緑化のり面又は緑化済のり面に揺動自在に固定する第一アンカーピンと
を備えることを特徴とする緑化保護装置。
【請求項２】
１０ｃｍ×１０ｃｍの升目から成る溶接金網を階段状に折り曲げて少なくとも二つの踏み面を形成して成る第一網ユニットを、所定の間隔を隔てて配置すると共に前記第一網ユニット間の横方向及び／又は縦方向を相互に可動自在に連結して成る網ユニット群と、
前記網ユニット群の各前記第一網ユニットをそれぞれの重心位置をずらして辺縁部を緑化のり面又は緑化済のり面に揺動自在に固定する第一アンカーピンと、
１０ｃｍ×１０ｃｍの升目から成る溶接金網を一つの踏み面を形成するように折り曲げ、前記網ユニット群に所定の間隔を隔てて可動自在に連結される第二網ユニットと、
前記第二網ユニットを重心位置をずらした辺縁部を前記緑化のり面又は緑化済のり面に揺動自在に固定する第二アンカーピンと
を備えることを特徴とする緑化保護装置。
【請求項３】
請求項１又は請求項２記載の緑化保護装置において、
前記網ユニット群の各前記第一網ユニットは、それぞれの前記緑化のり面又は緑化済のり面側辺縁部の中心位置から外れた位置を前記第一アンカーピンで固定される
ことを特徴とする緑化保護装置。
【請求項４】
請求項２又は請求項３記載の緑化保護装置において、
前記第二網ユニットは、前記緑化のり面又は緑化済のり面側辺縁部の中心位置から外れた位置を前記第二アンカーピンで固定される
ことを特徴とする緑化保護装置。
【請求項５】
請求項１乃至請求項４の何れか記載の緑化保護装置において、
前記網ユニット群は、前記第一網ユニットをワイヤで弛緩状態でそれぞれ連結し、前記ワイヤには、鐘、鈴、カウベル又は鳴子が取り付けられている
ことを特徴とする緑化保護装置。
【請求項６】
請求項２乃至請求項５の何れか記載の緑化保護装置において、
前記網ユニット群と前記第二網ユニットとは、ワイヤで弛緩状態でそれぞれ連結され、前記ワイヤには、鐘、鈴、カウベル又は鳴子が取り付けられている
ことを特徴とする緑化保護装置。
【請求項７】
緑化のり面又は緑化済のり面の縁部に沿って請求項１乃至請求項６の何れか記載の緑化保護装置を設置して緑化保護ゾーンを設ける
ことを特徴とする緑化保護装置を備えたのり面。
【請求項８】
請求項７記載の緑化保護装置を備えたのり面において、
前記緑化保護ゾーンは、前記緑化保護装置を前記緑化のり面又は緑化済のり面の縁部の内周又は外周に沿って設けられている
ことを特徴とする緑化保護装置を備えたのり面。
【請求項９】
請求項８又は請求項９記載の緑化保護装置を備えたのり面において、
前記緑化保護ゾーンは、前記緑化保護装置を前記緑化のり面又は緑化済のり面の縁部の内周又は外周から前記緑化のり面又は緑化済のり面の内側に向かって３ｍ以上の幅で設置されている
ことを特徴とする緑化保護装置を備えたのり面。
【請求項１０】
請求項７乃至請求項９の何れか記載の緑化保護装置を備えたのり面において、
前記緑化保護ゾーンは、
前記緑化保護装置を前記緑化のり面又は緑化済のり面の内周又は外周にそって連続的に設置する第一ゾーンと、
前記第一ゾーンより前記緑化のり面又は緑化済のり面側で前記緑化保護装置を千鳥状に配置する第二ゾーンと
を備えていることを特徴とする緑化保護装置を備えたのり面。
【請求項１１】
請求項１０記載の緑化保護装置を備えたのり面において、
前記第一ゾーンは、
前記緑化保護装置が、１０ｃｍ×１０ｃｍの升目から成る溶接金網を少なくとも三段以上折り曲げて成る第一網ユニットを、所定の間隔を隔てて配置すると共に前記第一網ユニット間の横方向及び／又は縦方向を相互に可動自在に連結して成る
ことを特徴とする緑化保護装置を備えたのり面。
【請求項１２】
請求項１０又は請求項１１記載の緑化保護装置を備えたのり面において、
前記第一ゾーンは、
前記緑化保護装置を前記緑化のり面又は緑化済のり面の内周又は外周に沿って連続的に設置する第一域と、
前記第一域の内周又は外周に沿って前記緑化保護装置を連続的に設置する第二域と
を備えることを特徴とする緑化保護装置を備えたのり面。
【発明の詳細な説明】
【技術分野】
【０００１】
本発明は、イノシシ、シカ、ニホンカモシカ等が、例えば、緑化のり面又は緑化済のり面に侵入し、緑化植物、遷移植物を掘り起こしたり、食害を与えることを防止する緑化保護装置に関する。
【背景技術】
【０００２】
従来、里山及び山間地におけるのり面の植物生育を促進して緑化を図ると共に、のり面の保護を図る緑化工事において、のり面に固定して植生基盤剤を充填するために用いられるのり面緑化構造体及びのり面緑化方法が提案されている（例えば、特許文献１参照）。
特許文献１では、それぞれ矩形状を呈する複数の踏み面金網枠と蹴込み金網枠とが折り畳み可能に且つ階段状に展開可能に上下方向の端縁において順次連結されている。蹴込み金網枠には土留シートがポケットを形成するように取り付けられると共に、蹴込み金網枠の内面には断熱シートが吊り下げられている。
加えて、踏み面金網枠の金網の目を粗く、蹴込み面金網枠の金網の目を細かくすることにより、のり面に取り付けた後に、植生基盤材の投入を容易にすると共に、投入された植生基盤材の流失を有効に防止することができる。
【０００３】
このように、特許文献１等記載ののり面緑化構造体及びのり面緑化方法にて里山及び山間地におけるのり面緑化工事の施工によってのり面の緑化が可能となった。
ところが、これらの構造体は、イノシシ、シカ、ニホンカモシカ等の侵入を防止する機能を備えていないため、発芽したばかりの緑化植物や、過去に施工した場所で生育した緑化植物が、イノシシ、シカ、ニホンカモシカ等による食害に遭う事例が多発している。
シカやニホンカモシカは、播種又は植栽した緑化植物や緑化後に遷移した植物の芽、葉、茎、樹皮を食したり、食する際に植物を引っ張ることで根を含めて引き抜いたりするので、緑化植物や遷移植物の成長を阻害し、緑化が成立しなくなるといった問題が多発していた。特に、施工直後の発芽時に、食害を受けると植生基盤の流失を招き緑化そのものが成立しなくなる。
【０００４】
そこで、例えば、図１０に示すように、里山及び山間地におけるのり面の対象となる防獣地帯１の外周に柵やネットを張って、囲い２を設ける防獣対策が知られている。囲い２は、メンテナンス用扉３から作業者が出入りできるように構成されている。
この囲い２を構成する柵やネットに電線を張り、侵入する動物等にショックを与える電圧の電気を流し、驚かせ立ち入らせないにする対策も取られている。
また、別の方法では、例えば、図１１（ａ）に示すように、対象となるのり面の周辺又はのり面全体４を網５で覆う方法もある。この方法ならば、多少網５を破られても、面的な効果があり、外周柵のように１ヶ所破られただけでは、柵内ののり面を蹂躙される虞はない。
【０００５】
また、のり面内に使用する緑化用の土壌にアスファルト乳材を混ぜる方法、動物の嫌がる物質を含んだ基盤材を敷設する方法、ライオン等の猛獣の糞を播く方法等がある。
また、対象となる防獣地帯に、動物を誘き寄せる匂いの出る装置を設置し、この装置に電気を流し触れさせ感電させることで、動物にとって危険地帯であることを示す対策も講じられている。
また、対象となる地面全面に金網を敷設し、金網にバネを付けることで動物が足を入れないようにする対策、動物が食さない毒や棘のある植物を播種、植栽することにより、害を為す動物の侵入を防ぐ対策等が知られている。
【先行技術文献】
【特許文献】
【０００６】
【特許文献１】特許第３５１６１３２号公報
【発明の概要】
【発明が解決しようとする課題】
【０００７】
しかし、図１０に示す対策では、柵やネットで囲い２を構成する場合、５ｃｍ〜１０ｃｍ程度の網目のネットを張ることで、シカ等の侵入を防いでいるが、天候等何らかの作用で柵が壊れたり、ネットが破れたりしたところから、シカ等が侵入し草や木の芽に食害を与えるという問題がある。
また、囲い２を構成する柵やネットに電線を張り電気を流す場合、人里から離れたのり面では人間が感電する虞やメンテナンス上の監視が必要となるという問題がある。
【０００８】
また、図１１（ａ）に示す対策では、のり面内のメンテナンス時に、作業員の出入りの際に網５を潜り抜ける等の不自由な作業が強いられる。特に、図１１（ｂ）のように、シカ等の踏み入れ防止を効果的にするため、網５を支持体６によって宙に浮かした場合、メンテナンスはほとんど困難になり、実用的ではないという問題がある。
また、誘き寄せて感電させる方法では、広大なのり面では設置台数が多くなりコストが掛かるという問題がある。
また、バネ付の金網の敷設の場合、のり面全面に敷設する必要があり、コストが掛かるという問題がある。
【０００９】
また、のり面内に使用する緑化用の土壌にアスファルト乳材を混ぜる方法、動物の嫌がる物質を含んだ基盤材を敷設する方法、ライオン等の猛獣の糞を播く方法等では、水源保安林のような上水道水源の山地のり面には適用しにくい。また、糞は降雨で流され効果が薄らぐほか、寄生虫・病原菌の温床になるという問題がある。加えて、動物の嫌がる物質を置く場合、臭気源を補給する必要があるという問題がある。
また、忌諱植物を植栽、播種する場合、地域によっては植生が適さない場合がある。
また、柵の代わりにポールを建てて、鉄砲の音を出して脅かす対策も知られているが、直に慣れてしまい役に立たなくなる。
また、フラッシュライトで脅かす対策もあるが、ファラッシュライトが交通の障害になるケースがあり、また、電気の供給等の問題もある。
【００１０】
本発明は、斯かる従来の問題点を解決するために為されたもので、被覆網工のような面的なのり面保護を加えながら、メンテナンスが容易でメンテナンス時の通路を確保しつつ、柵工のように景観を損なうことのない緑化保護装置及び緑化保護装置を備えたのり面を提供することにある。
【課題を解決するための手段】
【００１１】
請求項１に係る発明は、１０ｃｍ×１０ｃｍの升目から成る溶接金網を階段状に折り曲げて少なくとも二つの踏み面を形成して成る第一網ユニットを、所定の間隔を隔てて配置すると共に前記第一網ユニット間の横方向及び／又は縦方向を相互に可動自在に連結して成る網ユニット群と、前記網ユニット群の各前記第一網ユニットをそれぞれの重心位置をずらして辺縁部を緑化のり面又は緑化済のり面に揺動自在に固定する第一アンカーピンとを備えることを特徴とする。
【００１２】
請求項２に係る発明は、１０ｃｍ×１０ｃｍの升目から成る溶接金網を階段状に折り曲げて少なくとも二つの踏み面を形成して成る第一網ユニットを、所定の間隔を隔てて配置すると共に前記第一網ユニット間の横方向及び／又は縦方向を相互に可動自在に連結して成る網ユニット群と、前記網ユニット群の各前記第一網ユニットをそれぞれの重心位置をずらして辺縁部を緑化のり面又は緑化済のり面に揺動自在に固定する第一アンカーピンと、１０ｃｍ×１０ｃｍの升目から成る溶接金網を一つの踏み面を形成するように折り曲げ、前記網ユニット群に所定の間隔を隔てて可動自在に連結される第二網ユニットと、前記第二網ユニットを重心位置をずらした辺縁部を前記緑化のり面又は緑化済のり面に揺動自在に固定する第二アンカーピンとを備えることを特徴とする。
【００１３】
請求項３に係る発明は、請求項１又は請求項２記載の緑化保護装置において、前記網ユニット群の各前記第一網ユニットは、それぞれの前記緑化のり面又は緑化済のり面側辺縁部の中心位置から外れた位置を前記第一アンカーピンで固定されることを特徴とする。
請求項４に係る発明は、請求項２又は請求項３記載の緑化保護装置において、前記第二網ユニットは、前記緑化のり面又は緑化済のり面側辺縁部の中心位置から外れた位置を前記第二アンカーピンで固定されることを特徴とする。
【００１４】
請求項５に係る発明は、請求項１乃至請求項４の何れか記載の緑化保護装置において、前記網ユニット群は、前記第一網ユニットをワイヤで弛緩状態でそれぞれ連結し、前記ワイヤには、鐘、鈴、カウベル又は鳴子が取り付けられていることを特徴とする。
請求項６に係る発明は、請求項２乃至請求項５の何れか記載の緑化保護装置において、前記網ユニット群と前記第二網ユニットとは、ワイヤで弛緩状態でそれぞれ連結され、前記ワイヤには、鐘、鈴、カウベル又は鳴子が取り付けられていることを特徴とする。
【００１５】
請求項７に係る発明は、緑化のり面又は緑化済のり面の縁部に沿って請求項１乃至請求項６の何れか記載の緑化保護装置を設置して緑化保護ゾーンを設けることを特徴とする。
請求項８に係る発明は、請求項７記載の緑化保護装置を備えたのり面において、前記緑化保護ゾーンは、前記緑化保護装置を前記緑化のり面又は緑化済のり面の縁部の内周又は外周に沿って設けられていることを特徴とする。
【００１６】
請求項９に係る発明は、請求項８又は請求項９記載の緑化保護装置を備えたのり面において、前記緑化保護ゾーンは、前記緑化保護装置を前記緑化のり面又は緑化済のり面の縁部の内周又は外周から前記緑化のり面又は緑化済のり面の内側に向かって３ｍ以上の幅で設置されていることを特徴とする。
請求項１０に係る発明は、請求項７乃至請求項９の何れか記載の緑化保護装置を備えたのり面において、前記緑化保護ゾーンは、前記緑化保護装置を前記緑化のり面又は緑化済のり面の内周又は外周にそって連続的に設置する第一ゾーンと、前記第一ゾーンより前記緑化のり面又は緑化済のり面側で前記緑化保護装置を千鳥状に配置する第二ゾーンとを備えていることを特徴とする。
【００１７】
請求項１１に係る発明は、請求項１０記載の緑化保護装置を備えたのり面において、前記第一ゾーンは、前記緑化保護装置が、１０ｃｍ×１０ｃｍの升目から成る溶接金網を少なくとも三段以上折り曲げて成る第一網ユニットを、所定の間隔を隔てて配置すると共に前記第一網ユニット間の横方向及び／又は縦方向を相互に可動自在に連結して成ることを特徴とする。
請求項１２に係る発明は、請求項１０又は請求項１１記載の緑化保護装置を備えたのり面において、前記第一ゾーンは、前記緑化保護装置を前記緑化のり面又は緑化済のり面の内周又は外周に沿って連続的に設置する第一域と、前記第一域の内周又は外周に沿って前記緑化保護装置を連続的に設置する第二域とを備えることを特徴とする。
【発明の効果】
【００１８】
本発明の緑化保護装置は、主に溶接金網とワイヤとから構成されるので、のり面への設置工事において、のり面清掃後、植生基材吹付前に設置できる。従って、被覆網工のように植生基材吹付後に被覆網を設置する際にのり面を傷付けることはない。
また、本発明の緑化保護装置は、網ユニット群の網目が大きめに（ラス張工のラスは５ｃｍ×５ｃｍ程度）造られているので、植物の成長を阻害することもない。従って、外観上、柵工のように網が目立つことはないので、景観を保つことができる。
【００１９】
また、本発明の緑化保護装置は、半永久的に、のり面上に残るので、ネット工や柵工のように破れたためにシカやニホンカモシカの蹂躙を許すことはない。また、ネット工のようにシカやニホンカモシカが角を絡ませ死亡することもない。
また、本発明の緑化保護装置は、被覆網工のような面的なのり面保護領域を形成するように、網ユニット群を構成する第一網ユニットをそれぞれの重心位置をずらして辺縁部を緑化のり面又は緑化済のり面に第一アンカーピンによって揺動自在に固定するので、メンテナンスが容易でメンテナンス時の通路を確保しつつ、柵工のように景観を損なうことがないという利点を有する。
【００２０】
また、本発明の緑化保護装置は、のり面に階段状に置くような形で設置するため、人間はメンテナンス等で、設置している線上を歩くことが可能となる。また、径５ｍｍの線径の溶接金網を使用することで、溶接部（網目が十字となる部分）は人間の歩行を助けることができる。一方、シカやニホンカモシカは溶接金網の線上では蹄が滑ったり、線が食い込んだりするので乗りたがらない。
そして、網ユニット群は、網目を１０ｃｍ×１０ｃｍとしたので、シカやニホンカモシカが足を入れようか入れまいかと迷う程度の目の大きさとなり、シカやニホンカモシカの侵入を防止しやすい機能を発揮することができる。
【００２１】
また、網ユニット群は、３０ｃｍ〜４０ｃｍの踏み面を階段状とすることで、網目の不快効果の他にシカやニホンカモシカの踵（人間の目には膝に見える箇所）が段の突出部にあたり、不快感を増すことになり、シカやニホンカモシカの侵入を防止しやすい機能を発揮することができる。
また、網ユニット群は、第一網ユニット間を１０ｃｍ程度あけて設置すると共にのり面の設置部分１ヶ所のみを重心位置をずらして固定としたので、動物が触れると網ユニット群が揺れるようになり、足に触れる不快感を増し、動物の侵入を防止しやすい機能を発揮することができる。
また、網ユニット群は、各第一網ユニット間が若干動く程度にワイヤで連結してあるので、第一網ユニット単体は不安定であっても、網ユニット群全体では落下しないようにのり面上に固定することができる。
【００２２】
また、第一網ユニット間を連結するワイヤには、異なる鐘を取り付けることで、慣れのこない警戒音を動物に与えることでできる。特に、第一網ユニットに鐘を付けると、第一網ユニットに触れたときだけに鐘が鳴るだけであるため、動物は直ぐになれてしまうが、ワイヤの場合、どの鐘が鳴るかは、その時の状況次第であり、あらぬところの鐘が鳴ることで動物を不安にさせるためことが可能となり、動物の侵入を防止しやすい機能を発揮することができる。
また、網ユニット群によって形成される緑化保護ゾーンを、網ユニット群の内周側を千鳥状（市松模様状）としたので、見かけ上三列〜四列すなわち３ｍ〜４ｍ程度のユニット幅があるように見せかけることが可能となり、シカやニホンカモシカの飛び越えるを確実に阻止することができる。
【図面の簡単な説明】
【００２３】
【図１】本発明に係る緑化保護装置を備えたのり面の一実施形態を示す説明図である。
【図２】図１の緑化保護装置を備えたのり面の一部を拡大して示す説明図である。
【図３】図１の緑化保護装置を備えたのり面に用いる第一網ユニットを示す斜視図である。
【図４】図１の緑化保護装置を備えたのり面に用いる第一網ユニット間を鐘を取り付けたワイヤで弛緩状態で連結した状態を示す斜視図である。
【図５】図３に示す第一網ユニットを緑化のり面又は緑化済みのり面に第一アンカーピンで固定した状態を示す斜視図である。
【図６】図１の緑化保護装置を備えたのり面に用いる第一網ユニットと第二網ユニットとの間を鐘を取り付けたワイヤで弛緩状態で連結した状態を示す斜視図である。
【図７】図１の緑化保護装置を備えたのり面に用いる第一網ユニットの別の形態を示す斜視図である。
【図８】本発明に係る緑化保護装置を備えたのり面の別の実施形態を示す説明図である。
【図９】本発明に係る緑化保護装置を備えたのり面のさらに別の実施形態を示す説明図である。
【図１０】従来例を示す説明図である。
【図１１】（ａ）別の従来例を示す説明図、（ｂ）別の従来例における一部拡大図である。
【発明を実施するための形態】
【００２４】
以下、本発明を図面に示す実施形態に基づいて説明する。
図１は、本発明に係る緑化保護装置３０を備えたのり面１０の一実施形態を示す。
本実施形態に係る緑化保護装置３０を備えたのり面１０は、図２に示すように、緑化のり面又は緑化済のり面１１の縁部１２に沿って緑化のり面又は緑化済のり面１１の中心方向に向かって網掛けで示すように緑化保護装置３０を設置して緑化保護ゾーン２０を設けている。
【００２５】
本実施形態において、緑化保護ゾーン２０は、緑化のり面又は緑化済のり面１１の縁部１２から緑化のり面又は緑化済のり面１１の中心側に向かって緑化保護装置３０を全幅に亘って連続的に設けて成る第一ゾーン２１と、第一ゾーン２１の内周に緑化のり面又は緑化済のり面１１の中心側に向かって緑化保護装置３０を全幅に亘って二列以上の千鳥状に設けて成る第二ゾーン２２とを設置することによって構成されている。
ここで、緑化保護ゾーン２０を緑化のり面又は緑化済のり面１１の縁部１２から緑化のり面又は緑化済のり面１１の中心側に向かって３ｍ以上の幅Ｂで全域に亘って設けた理由は、シカやニホンカモシカは平地で３ｍ程度の帯状の障害を飛び越えるといわれているので、シカやニホンカモシカの飛び込みを防止できる帯域を形成するためである。
【００２６】
本実施形態において、緑化保護装置３０は、図２〜図６に示すように、網ユニット群３１と、第一アンカーピン３７と、第二網ユニット３８と、第二アンカーピン３９とで構成されている。
網ユニット群３１は、例えば、径が５ｍｍで、１０ｃｍ×１０ｃｍの升目から成る溶接金網３２を階段状に折り曲げて二つの踏み面３３ａ，３３ｂを形成して成る第一網ユニット３３を、図２、図４に示すように、例えば、１０ｃｍ程度の間隔Ｌを隔てて平面状に配置すると共に、第一網ユニット３３間の横方向を鐘３６を取り付けた、例えば、２０ｃｍｍのワイヤ３５で相互に可動自在に連結することによって構成されている。
【００２７】
また、網ユニット群３１は、第一網ユニット３３を横方向に配列して形成される第一ゾ−ン２１の内周側に、同様に第一網ユニット３３を横方向に千鳥状に配列して形成される第二ゾ−ン２２の各第一網ユニット３３との間で、縦方向や斜め方向に鐘３６を取り付けた、例えば、２０ｃｍのワイヤ３５で相互に可動自在に連結することによって構成されている。この際、第一ゾーン２１と第二ゾーン２２との間隔は、上述の間隔Ｌと同様に１０ｃｍ程度とする。
第一網ユニット３３間のワイヤ３５による連結は、少なくとも網ユニット群３１の両端では上部平面部と下部垂直部と連結するものとする。これは、シカやニホンカモシカの不用意な侵入と蹴り上げを防ぐためである。
【００２８】
第一網ユニット３３は、図３に示すように、例えば、横幅Ｗが９０ｃｍ、高さＨが３０ｃｍ〜４０ｃｍ、奥行きＤが３０ｃｍ〜４０ｃｍとした。第一網ユニット３３は、形状保持のために、二つの踏み面３３ａ，３３ｂ間をワイヤ３５，３５によって連結している。
ここで、溶接金網３２の網目を１０ｃｍ×１０ｃｍとしたのは、シカやニホンカモシカが足を入れようか入れまいかと迷う程度の網目の大きさとした。網目が細か過ぎればシカやニホンカモシカが溶接金網３２に乗ってジャンプする可能性があり、網目が大き過ぎればシカやニホンカモシカが網目に足を入れてジャンプする可能性がある。シカやニホンカモシカは足が傷付くことを極度に恐れる動物であることから、１０ｃｍ×１０ｃｍの網目では足に触れるか触れないかの不快な大きさとなる。
【００２９】
また、第一網ユニット３３は、例えば、図５に示すように、奥行きＤを３０ｃｍ〜４０ｃｍとする二つの踏み面３３ａ，３３ｂを形成した階段状とすることで、網目の不快効果の他にシカやニホンカモシカの踵（人間の目には膝に見える箇所）が二つの踏み面３３ａ，３３ｂの突出部３３ｄ，３３ｅに当たり、不快感を増すことになる。シカやニホンカモシカは、有蹄類の偶蹄目に属する動物であり、４本指であるが、２本の指は退化して小さくなり、地面に着くのは２本の指だけである。通常、地面に着く２本の指を蹄、後退した２本の指を踵と称している。
【００３０】
また、第一網ユニット３３は、例えば、図５に示すように、緑化のり面又は緑化済のり面１１に階段状に置くような形で設置するため、人間はメンテナンス等で、設置している二つの踏み面３３ａ，３３ｂの線上を歩くことが可能となる。また、径５ｍｍの線径の溶接金網を使用することで、溶接部（網目が十字となる部分）は人間の歩行を助ける。シカやニホンカモシカは二つの踏み面３３ａ，３３ｂの線上では蹄が滑ったり、線が食い込んだりするので乗りたがらない。
網ユニット群３１は、例えば、図２、図４、図５に示すように、各第一網ユニット３３の踏み面３３ａの重心位置をずらして辺縁部３３ｃの一カ所を、例えば、径１６ｍｍ、長さ４０ｃｍ〜９０ｃｍの第一アンカーピン３７によって緑化のり面又は緑化済のり面１１に揺動自在に固定される。なお、第一アンカーピン３７による固定は、豪雪地帯のように一カ所では第一網ユニット３３の落下の虞がある箇所では、一カ所以上とする。
【００３１】
各第一網ユニット３３と緑化のり面又は緑化済のり面１１の設置部分１ヶ所のみ固定とした理由は、各第一網ユニット３３をガチガチに固定しないためである。また、各第一網ユニット３３間を１０ｃｍ程度あけて設置するのも、同じ理由である。
各第一網ユニット３３の固定箇所を重心部ではなく辺縁部３３ｃとすることで、シカやニホンカモシカが触れると各第一網ユニット３３が揺れるようになり、足に触れる不快感を増すことになる。しかし、各第一網ユニット３３を蹴落とされては困るので、各第一網ユニット３３間は、各第一網ユニット３３が若干動く程度にワイヤ３５で連結しあうものとする。ワイヤ３５の連結により各第一網ユニット３３単体は不安定であっても、緑化保護装置３０全体では落下しないように緑化のり面又は緑化済のり面１１上に固定されるものとする。
【００３２】
ワイヤ３５に取り付ける鐘３６は、数種類とし、慣れのこない警戒音をシカやニホンカモシカが触れることで発するようにする。これは各第一網ユニット３３ではなくワイヤ３５に付けることによって鐘３６による効果を発揮することが可能となる。各第一網ユニット３３に付けると第一網ユニット３３に触ると第一網ユニット３３上の鐘３６が鳴るだけで、シカやニホンカモシカの慣れが生じやすいが、ワイヤ３５の場合、どの鐘３６が鳴るかは、その時の状況次第であり、あらぬところの鐘３６が鳴ることでシカやニホンカモシカやニホンカモシカを不安にさせることができる。
【００３３】
第二網ユニット３８は、例えば、図１、図２に示すように、設置面積が小さすぎて第一網ユニット３３を設置することが困難な領域に設置される。
また、第二網ユニット３８は、第一網ユニット３３と同様に、図５に示すように、例えば、径が５ｍｍで、１０ｃｍ×１０ｃｍの升目から成る溶接金網３２を、横幅Ｗが９０ｃｍ、高さＨが３０ｃｍ〜４０ｃｍ、奥行きＤが３０ｃｍ〜４０ｃｍとし、一つの踏み面３８ａを形成するように一段に折り曲げて形成されている。踏み面３８ａの突起部３８ｂは、第一網ユニット３３の二つの踏み面３３ａ，３３ｂの突出部３３ｄ，３３ｅと同様に、シカやニホンカモシカに当たり、不快感を増すことになる。
本実施形態において、第一網ユニット３３を２段式としたのは、ライトバンでも輸送できるようにするためである。また、のり面上での扱いでも二段式のほうが軽量で扱いやすいこと、のり面の地形や現地性の障害物（石、木等）に合わせて一段にカットしやすいことも二段式とした理由である。
【００３４】
また、第二網ユニット３８は、例えば、図２、図６に示すように、第二網ユニット３８の踏み面３８ａの重心位置をずらした辺縁部３８ｃの一カ所を、例えば、径１６ｍｍ、長さ４０ｃｍ〜９０ｃｍの第二アンカーピン３９によって緑化のり面又は緑化済のり面１１に可動自在に固定される。ここで、第一アンカーピン３７と第二アンカーピン３９とは、同一物を使用した。
また、第二網ユニット３８と第一網ユニット３３との間には、鐘３６を取り付けたワイヤ３５によって連結されている。
なお、シカやニホンカモシカは、網ユニット群３１の側面を潜って侵入することはないので、開放していても問題はない。
【００３５】
次に、以上のように構成された本実施形態に係る緑化保護装置３０を備えたのり面１０の作用を説明する。
先ず、緑化のり面又は緑化済のり面１１の縁部１２に沿って緑化のり面又は緑化済のり面１１の中心方向に向かって網掛けで示すように緑化保護装置３０を設置して緑化保護ゾーン２０を設けるに当たり、緑化のり面又は緑化済のり面１１の縁部１２に沿って緑化保護装置３０を帯状に配置する。
次に、緑化のり面又は緑化済のり面１１の縁部１２に沿って緑化保護装置３０を帯状に配置した第一ゾーン２１の内周に沿って、緑化保護装置３０を二列の千鳥状に配置して第二ゾーン２２を形成する。
【００３６】
例えば、図１、図２に示すように設置された本実施形態に係る緑化保護装置３０を備えたのり面１０によれば、緑化保護装置３０の各第一網ユニット３３及び第二網ユニット３８が、溶接金網３２の網目を１０ｃｍ×１０ｃｍとしてあるので、シカやニホンカモシカが足を入れようか入れまいかと迷い容易に緑化保護ゾーン２０内への侵入を阻止することができる。
そして、万一、シカやニホンカモシカが緑化保護装置３０の各第一網ユニット３３及び第二網ユニット３８上に乗ると、第一網ユニット３３は、例えば、図５に示すように、奥行きＤを３０ｃｍ〜４０ｃｍとする二つの踏み面３３ａ，３３ｂを形成した階段状としてあるので、網目の不快効果の他にシカやニホンカモシカの踵（人間の目には膝に見える箇所）が二つの踏み面３３ａ，３３ｂの突出部３３ｄ，３３ｅに当たり、不快感を増し、シカやニホンカモシカの侵入を防止することができる。
【００３７】
さらに、各第一網ユニット３３と緑化のり面又は緑化済のり面１１の設置部分１ヶ所のみ固定としたので、各第一網ユニット３３は、シカやニホンカモシカが乗ったり、触れたりすると、各第一網ユニット３３が揺れるようになり、足に触れる不快感を増す。同時に、各第一網ユニット３３間は、各第一網ユニット３３が若干動く程度にワイヤ３５で連結し合っているので、ワイヤ３５に取り付けた鐘３６が鳴りシカやニホンカモシカを驚かせる。加えて、連絡し合う各ワイヤ３５が揺らされるので、どの鐘３６が鳴るかは、その時の状況次第であり、あらぬところの鐘３６が鳴ることでシカやニホンカモシカを不安にさせることができる。
しかも、本実施形態では、緑化保護装置３０の配置を外周側の列をフルにし、内周側二列を千鳥状とし、見掛け上三列〜四列すなわち３ｍ〜４ｍ程度のユニット幅があるように見せかける効果を発揮するように設置したので、たとえシカやニホンカモシカが平地で３ｍ程度の帯状の障害を飛び越える能力を発揮としても飛び越える気を殺ぐ効果が期待できる。
【００３８】
その結果、本実施形態に係る緑化保護装置３０を備えたのり面１０にはシカやニホンカモシカが侵入することができず、本実施形態に係る緑化保護装置３０を備えたのり面１０内の緑化のり面又は緑化済みのり面１１を保護することが可能となる。
なお、仮に大型のシカやニホンカモシカにより三列配置を凌駕するジャンプが観察された場合には、例えば、図８に示すように、第一網ユニット３３を増設することも可能である。
例えば、第一ゾーン２１を、緑化保護装置３０を緑化のり面又は緑化済のり面１１の内周に沿って連続的に設置する第一域と、その第一域の内周に沿って緑化保護装置３０を連続的に設置する第二域とを備えるように構成する。
【００３９】
上記実施形態では、第一網ユニット３３を二つの踏み面３３ａ，３３ｂを備えた構成としたが、例えば、図７に示すように、三つの踏み面３３ａ，３３ｂ，３３ｆを備えた構成としても良い。踏み面３３ｆａの突起部３３ｇは、第一網ユニット３３の二つの踏み面３３ａ，３３ｂの突出部３３ｄ，３３ｅと同様に、シカやニホンカモシカに当たり、不快感を増すことになる。
また、上記実施形態では、図１に示すように、緑化のり面又は緑化済のり面１１の縁部１２に沿って緑化のり面又は緑化済のり面１１の中心方向に向かって網掛けで示すように緑化保護装置３０を設置して緑化保護ゾーン２０を設けた場合について説明したが、本発明はこれに限らず、例えば、図９に示すように、緑化のり面又は緑化済のり面１１の縁部１２の外側から緑化のり面又は緑化済のり面１１の中心方向に向かって網掛けで示すように緑化保護装置３０を設置して緑化保護ゾーン２０を設けても良い。
【００４０】
また、上記実施形態では、ワイヤ３５に鐘３６を取り付けた場合について説明したが、本発明はこれに限らず、例えば、鈴、カウベル又は鳴子等のようにワイヤ３５に取り付けた場合に容易に音を発することができるものであれば良い。これらを数種類用意したり、これらを組み合わせたりすることも可能である。
また、上記実施形態では、対象動物をシカやニホンカモシカについて説明したが、本発明は、これに限らずイノシシについても有効である。イノシシは、鼻や前足を使って植生基盤を掘り起こし基盤中の植根や昆虫類の幼虫などを食するため、植生基盤が破壊され緑化が成立しなくなる。
本発明では、網ユニット群３１の周縁部がイノシシの鼻や前足によって捲り上がらないように、ワイヤ３５によって連結してあるので、イノシシの侵入を防止することが可能である。
【符号の説明】
【００４１】
１０  緑化保護装置３０を備えたのり面
１１  緑化のり面又は緑化済のり面
１２  緑化のり面又は緑化済のり面１１の縁部
２０  緑化保護ゾーン
２１  第一ゾーン
２２  第二ゾーン
３０  緑化保護装置
３１  網ユニット群
３２  溶接金網
３３  第一網ユニット
３３ａ，３３ｂ，３３ｆ  踏み面
３５  ワイヤ
３６  鐘
３７  第一アンカーピン
３８  第二網ユニット
３９  第二アンカーピン
【図１】
2014103934.tif 000003
【図２】
2014103934.tif 000004
【図３】
2014103934.tif 000005
【図４】
2014103934.tif 000006
【図５】
2014103934.tif 000007
【図６】
2014103934.tif 000008
【図７】
2014103934.tif 000009
【図８】
2014103934.tif 000010
【図９】
2014103934.tif 000011
【図１０】
2014103934.tif 000012
【図１１】
2014103934.tif 000013